(57)【要約】【課題】回転作動の磨耗耐久性が良く、耐環境性の優れた構造簡単なヒンジ装置を提供する。【解決手段】機器本体とフタを回転開閉自在に連結するためのヒンジ装置において、バネ性を有した回動軸の外周面と、該回動軸を保持する固定筒の内周面との嵌合的係合により回動軸の回転時に摩擦トルクを発生させるヒンジであって、該固定筒の一部に突起部を設け、該突起部と該回動軸に設けられている突起との係合により、機器本体とフタの開閉時に開閉位置の保持トルクを生じさせる。【選択図】図１
2006183767.tif 000002
【特許請求の範囲】
【請求項１】
機器本体とフタを回転開閉自在に連結するためのヒンジ装置において、
バネ性を有した回動軸の外周面と、該回動軸を保持する固定筒の内周面との嵌合的係合により回動軸の回転時に摩擦トルクを発生させるヒンジであって、
該固定筒の一部に突起部を設け、該突起部と該回動軸に設けられている突起との係合により、機器本体とフタの開閉時に開閉位置の保持トルクを生じさせることを特徴とするヒンジ装置。
【請求項２】
機器本体とフタを回転開閉自在に連結するためのヒンジ装置において、
バネ性を有した回動軸の外周面と、該回動軸を保持する固定筒の内周面との嵌合的係合により回動軸の回転時に摩擦トルクを発生させるヒンジであって、
該固定筒の一部に凹部を設け、該凹部と該回動軸に設けられている突起との係合により、機器本体とフタの開閉時に開閉位置の保持トルクを生じさせることを特徴とするヒンジ装置。
【請求項３】
請求項１もしくは請求項２において、
回動軸の突起を複数形成したことを特徴とするヒンジ装置。
【請求項４】
固定筒中に設けられ、回動軸の外周面との間に詰め込まれた粘性流体保持部材を有することを特徴とする請求項１もしくは請求項２記載のヒンジ装置。
【発明の詳細な説明】
【技術分野】
【０００１】
本発明は、機器本体とフタを回転開閉自在に連結するヒンジ装置に関するものである。
【背景技術】
【０００２】
機器本体に回転規制されるカムと、フタに回転規制されるもう一つのカムとに凹凸面を設け、それぞれの凹凸面を対向させ、それらのカム回転軸方向にバネで押圧することにより、カム凸面の摺動摩擦力、及びお互いの凹凸面の食合い作用力によって、フタ開閉の規定回転トルクを発生させるヒンジ装置が多く実用されている。
【０００３】
【特許文献１】特開平３−１２５７７３号公報（第４図）
【発明の開示】
【発明が解決しようとする課題】
【０００４】
この構造のヒンジ装置は、カムの凸面にかかる圧力が高く、また開閉回数が多い場合、油膜が切れて摩擦係数が変化し、規定のフタ開閉トルク値から大きく逸脱したり、その凸面が著しく磨耗し機能を果たさなくなったりしてしまうという問題があった。また、給油した油が経時的にヒンジ装置外部に漏れてしまい、ヒンジ装置を取付けている機器の部品を汚すなどの問題を起こしていた。
【０００５】
さらに、前記機器が折畳み携帯電話機の場合などには、外部に晒されるので、ヒンジ装置にほこりや水、湿気が浸入し、油に混ざり油の機能を劣化させたり、前記バネなどの構成部品を腐食させたりするなどの問題もあった。
【課題を解決するための手段】
【０００６】
前記目的を達成するために、本発明の請求項１記載のヒンジ装置は、機器本体とフタを回転開閉自在に連結するためのヒンジ装置において、バネ性を有した回動軸の外周面と、該回動軸を保持する固定筒の内周面との嵌合的係合により回動軸の回転時に摩擦トルクを発生させるヒンジであって、該固定筒の一部に突起部を設け、該突起部と該回動軸に設けられている突起との係合により、機器本体とフタの開閉時に開閉位置の保持トルクを生じさせるように構成する。
【０００７】
さらに、機器本体とフタを回転開閉自在に連結するためのヒンジ装置において、バネ性を有した回動軸の外周面と、該回動軸を保持する固定筒の内周面との嵌合的係合により回動軸の回転時に摩擦トルクを発生させるヒンジであって、該固定筒の一部に凹部を設け、該凹部と該回動軸に設けられている突起との係合により、機器本体とフタの開閉時に開閉位置の保持トルクを生じさせるように構成する。
【０００８】
さらに、上記いずれかの構成に於いて、回動軸の突起を複数形成し、さらに、固定筒中に設けられ、回動軸の外周面との間に詰め込まれた粘性流体保持部材を有するように構成する。
【０００９】
密閉構造のために油がヒンジ装置外部に漏れない、或いは漏れ量が少なく、十分な量の給油が可能で、長期に保油されるので、回動軸の外周面と、回動軸を保持する固定筒の内周面には、常に油が回り、油膜切れによる開閉トルク変動、或いは回転耐久磨耗の問題が大幅に改善される。
【００１０】
また、前記機器が折畳み携帯電話機など携帯機器の場合には、いろいろな外部環境に晒されるが、ヒンジ装置の内部は保護されているので、機能劣化や部品腐食が防止される。
【発明の効果】
【００１１】
本発明によれば、磨耗耐久性が良く、耐環境性の優れたヒンジ装置を提供できるので、開閉トルク値が高く、開閉回数が多い、そして、外部環境に晒される折畳み携帯電話機などに適用出来るものである。
【発明を実施するための最良の形態】
【００１２】
図面に基づいて、本発明の実施形態を説明する。
図１は、本発明の第一の実施形態にかかる折畳み携帯電話機用のヒンジ装置の断面を示したものである。
回動軸１０はＳＵＳ材等の弾性材料を切削加工して形成され、円筒の２面をカットした小判形状の結合端部１３は機器本体に組み込まれた際に、ヒンジ装置とハウジングの一方が一体で回転するようになっている。他端部はスリットに加工されたアーム部１１，１４が形成されており、その先端には突起１１ａ、１４ａが設けられている。ここで、突起１４ａは固定筒２０に設けられている突起２１と係合しないように突起１１ａよりも短くされている。
また、固定筒２０からの抜け防止のための溝１２が形成されている。
【００１３】
円筒形の固定筒２０は金属シャフトを切削加工して作製されており、突起２１，２２が押し出し加工により形成されている。固定端２３も結合端部１３と同様に小判形状に形成されて、ハウジングの他方（フタ）が一体で回転するようになされている。
固定筒２０に設けられている爪２２と回動軸１０に設けられている溝１２が係合して、回動軸１０が固定筒２０の内部に位置を保持して回転可能かつ密着して保持されるように構成されている。
【００１４】
固定筒２０の内部には油吸収性の良好なスポンジ３０が図に示す形状で、回転軸１０のスリット加工された部分にスポンジ３１部が挿入されている。このスポンジ３０には、粘性流体のグリス、例えば信越化学社製Ｇ３５３〜Ｇ６００が含浸されている。
回動軸１０の突起１１ａ、１４ａは弾性変形するように、固定筒２０の内径より若干外形が大きく設定されており、ヒンジ装置を回転すると固定筒２０の内周面と摩擦しながら回転摺動し、この回転摩擦のトルクによってハウジング開閉時に適正な保持力が付与される。
固定筒２０に設けられている突起２１と回動軸１０に設けられている突起１１ａが、ヒンジ装置の回転によって接触すると通常の回転時に比べ摩擦トルクが一段と高くなる。この突起２１を設けることによってヒンジ装置を組み込む製品の開時または閉時の位置を保持する保持トルクを付与することができる。本実施例では突起２１は１カ所のみが示されているが複数設けることも可能である。
【００１５】
また、固定筒２０内に設けられているスポンジ３０とグリスの作用により、ヒンジ装置の摺動面に長期間に渡り油潤滑ができるので、摩耗によるトルク変化を抑えることができる。
【００１６】
図２は、本発明第二の実施形態にかかるヒンジ装置の断面を示したものである。
回動軸４０はＳＵＳ材等の弾性材料を切削加工して形成され、円筒の２面をカットした小判形状の結合端部４３は機器に組み込まれた際に、ヒンジ装置とハウジングの一方が一体で回転するようになっている。他端部はスリットに加工されたアーム部４１，４４が形成されており、その先端には突起４１ａ、４４ａが設けられている。ここで、突起４４ａは固定筒５０に設けられている凸部５１と係合しないように突起４１ａよりも長くされている。
【００１７】
円筒形の固定筒５０は金属シャフトを切削加工して作製されており、突起４４，凹部５１が押し出し加工により形成されている。固定端５３も結合端部４３と同様に小判形状に形成されて、ハウジングの他方が一体で回転するようになされている。
【００１８】
固定筒５０の内部には油吸収性の良好なスポンジ３０が図に示す形状で、回転軸４０のスリット加工された部分に挿入されている。
回動軸４０の突起４１ａ、４４ａは弾性変形するように、固定筒５０の内径より若干外形が大きく設定されており、ヒンジ装置を回転すると固定筒５０の内周面と摩擦しながら回転摺動し、この回転摩擦のトルクによってハウジング開閉時に適正な保持力が付与される。
固定筒５０に設けられている凹部５１に回動軸４０に設けられている突起４１ａが、ヒンジ装置の回転によって落ち込むと、突起４１ａが凹部５１を乗り越える際に必要なトルクが増大する。第一の実施例と同様にハウジング開閉位置での保持トルクを発生させることができる。
【００１９】
図３には第二実施例にパッキン６０を追加した断面図が示されている。
パッキン６０はＯリングなどのシール部材で、回動軸４０と固定筒５０の間に設けられている。パッキン６０によって、油の流出を防止することができる。
【図面の簡単な説明】
【００２０】
【図１】本発明の第一の実施形態にかかる折畳み携帯電話機用のヒンジ装置の断面を示したものである。
【図２】本発明の第二の実施形態にかかる折畳み携帯電話機用のヒンジ装置の断面図である。
【図３】本発明の第三の実施形態にかかる折畳み携帯電話機用のヒンジ装置の断面図である。
【符号の説明】
【００２１】
１０  回動軸
１１  アーム部
１４  アーム部
２０  固定筒
２１  突起
３０  スポンジ
４０  回動軸
４１  アーム部
４４  アーム部
５０  固定筒
５１  凹部
６０  パッキン
【図１】
2006183767.tif 000003
【図２】
2006183767.tif 000004
【図３】
2006183767.tif 000005